(57)【要約】【課題】レーベル面の可視情報の視認性が良好な光記録媒体の生産性の向上を図る。【解決手段】光記録媒体を構成する基板を粗面化する際に使用される光記録媒体用スタンパの製造方法であって、金属板８４の第２ピット形成部７０が、その後に行われるブラスト処理で破壊されないように、ブラスト処理の前処理としてマスキング処理を行うことにより、第２ピット形成部７０を保護する。マスキング処理としては、第２ピット形成部７０上に粘着シートによるマスク７４を貼着する。その後、金属板８４の一主面８４ａのうち、マスク７４から露出する面の一部をブラスト処理によって粗面化する。このブラスト処理によって、金属板８４による原版スタンパ、すなわち、一主面の一部が粗面化された原版スタンパが完成する。【選択図】図１１
2008251072.tif 000002
【特許請求の範囲】
【請求項１】
光記録媒体を構成する基板を粗面化する際に使用される光記録媒体用スタンパの製造方法であって、
金属板の一主面の一部に、前記光記録媒体にプリピットを形成するためのピット形成部を形成するピット形成工程と、
前記金属板のうち、前記ピット形成部を保護するためのマスクを設置するマスキング工程と、
前記金属板の前記マスクが設置された面の全部又は一部をブラスト処理によって粗面化して原版スタンパを作製するブラスト処理工程とを有することを特徴とする光記録媒体用スタンパの製造方法。
【請求項２】
請求項１記載の光記録媒体用スタンパの製造方法において、
前記マスキング工程は、基台と、補助板と、前記基台上に対して前記補助板を位置決めするための第１位置決め手段と、前記補助板上に対して前記金属板を位置決めするための第２位置決め手段と、前記マスクを保持しながら前記基台上に位置決めされた前記補助板に対して少なくとも接近する方向に移動し、且つ、前記補助板上に位置決めされた前記金属板のうち、前記ピット形成部上に前記マスクを設置するアームとを有するマスク設置装置を使用して行うことを特徴とする光記録媒体用スタンパの製造方法。
【請求項３】
請求項２記載の光記録媒体用スタンパの製造方法において、
前記第１位置決め手段は、
前記補助板のうち、前記基台と対向する面に設けられた凹部又は凸部と、
前記基台のうち、前記補助板の前記凹部に挿入される凸部又は凹部とを有し、
前記補助板における前記凹部又は凸部の中心位置と、前記基台における前記凸部又は凹部の中心位置と、前記アームに保持された前記マスクの中心位置とが鉛直線上に揃うようにすることを特徴とする光記録媒体用スタンパの製造方法。
【請求項４】
請求項２又は３記載の光記録媒体用スタンパの製造方法において、
前記アームは真空吸着にて前記マスクを保持することを特徴とする光記録媒体用スタンパの製造方法。
【請求項５】
請求項２〜４のいずれか１項に記載の光記録媒体用スタンパの製造方法において、
前記第２位置決め手段は、
前記補助板のうち、前記金属板が設置される面に設けられたアライメントマークと、
前記アライメントマークの第１画像と、前記補助板上に載置された前記金属板の前記ピット形成部の第２画像とを撮像する撮像装置と、
前記撮像装置からの前記第１画像に基づいて前記アライメントマークで設定される第１中心位置を演算し、前記第２画像に基づいて前記ピット形成部の第２中心位置を演算する演算手段と、
前記第２中心位置が前記第１中心位置に一致するように前記補助板上の前記金属板の位置を補正する補正手段とを有することを特徴とする光記録媒体用スタンパの製造方法。
【請求項６】
請求項５記載の光記録媒体用スタンパの製造方法において、
前記第２中心位置と、前記補助板の凹部又は凸部の中心位置とがほぼ一致していることを特徴とする光記録媒体用スタンパの製造方法。
【請求項７】
請求項１〜６のいずれか１項に記載の光記録媒体用スタンパの製造方法において、
さらに、前記原版スタンパから前記マスクを取り外して、前記原版スタンパを洗浄する洗浄処理工程と、
前記原版スタンパのうち、前記ピット形成部を含む面に金属層を電鋳によって形成して、該金属層による第２版スタンパを作製する複版作製工程とを有することを特徴とする光記録媒体用スタンパの製造方法。
【請求項８】
可視情報が記録される可視情報記録層を有する光記録媒体用の基板の製造方法において、
一主面の全部又は一部が粗面化されたスタンパを作製するスタンパ作製工程と、
作製された前記スタンパによって一主面の全部又は一部が粗面化された基板を作製する基板作製工程とを有し、
前記スタンパ作製工程は、
金属板の一主面の一部に、前記光記録媒体にプリピットを形成するためのピット形成部を形成するピット形成工程と、
前記金属板のうち、前記ピット形成部を保護するためのマスクを設置するマスキング工程と、
前記金属板の前記マスクが設置された面の全部又は一部をブラスト処理によって粗面化して原版スタンパを作製するブラスト処理工程とを有することを特徴とする基板の製造方法。
【請求項９】
基板と、前記基板上に形成され、可視情報が記録される可視情報記録層とを有する光記録媒体の製造方法において、
一主面の全部又は一部が粗面化されたスタンパを作製するスタンパ作製工程と、
作製された前記スタンパによって一主面の全部又は一部が粗面化された基板を作製する基板作製工程と、
作製された基板上に前記可視情報記録層を形成する可視情報記録層形成工程とを有し、
前記スタンパ作製工程は、
金属板の一主面の一部に、前記光記録媒体にプリピットを形成するためのピット形成部を形成するピット形成工程と、
前記金属板のうち、前記ピット形成部を保護するためのマスクを設置するマスキング工程と、
前記金属板の前記マスクが設置された面の全部又は一部をブラスト処理によって粗面化して原版スタンパを作製するブラスト処理工程とを有することを特徴とする光記録媒体用スタンパの製造方法。
【請求項１０】
光記録媒体を構成する基板を粗面化する際に使用される光記録媒体用スタンパの製造装置であって、
基台と、
補助板と、
前記基台上に対して前記補助板を位置決めするための第１位置決め手段と、
前記補助板上に対して前記金属板を位置決めするための第２位置決め手段と、
前記マスクを保持しながら前記基台上に位置決めされた前記補助板に対して少なくとも接近する方向に移動し、且つ、前記補助板上に位置決めされた前記金属板のうち、前記ピット形成部上に前記マスクを設置するアームと、
を有することを特徴とする光記録媒体用スタンパの製造装置。
【請求項１１】
請求項１０記載の光記録媒体用スタンパの製造装置において、
前記第１位置決め手段は、
前記補助板のうち、前記基台と対向する面に設けられた凹部又は凸部と、
前記基台のうち、前記補助板の前記凹部に挿入される凸部又は凹部とを有し、
前記補助板における前記凹部又は凸部の中心位置と、前記基台における前記凸部又は凹部の中心位置と、前記アームに保持された前記マスクの中心位置とが鉛直線上に揃うようにすることを特徴とする光記録媒体用スタンパの製造装置。
【請求項１２】
請求項１０又は１１記載の光記録媒体用スタンパの製造装置において、
前記アームは真空吸着にて前記マスクを保持することを特徴とする光記録媒体用スタンパの製造装置。
【請求項１３】
請求項１０〜１２のいずれか１項に記載の光記録媒体用スタンパの製造装置において、
前記第２位置決め手段は、
前記補助板のうち、前記金属板が設置される面に設けられたアライメントマークと、
前記アライメントマークの第１画像と、前記補助板上に載置された前記金属板の前記ピット形成部の第２画像を撮像する撮像装置と、
前記撮像装置からの前記第１画像に基づいて前記アライメントマークで設定される第１中心位置を演算し、前記第２画像に基づいて前記ピット形成部の第２中心位置を演算する演算手段と、
前記第２中心位置が前記第１中心位置に一致するように前記補助板上の前記金属板の位置を補正する補正手段とを有することを特徴とする光記録媒体用スタンパの製造装置。
【請求項１４】
請求項１３記載の光記録媒体用スタンパの製造装置において、
前記第１中心位置と、前記補助板の凹部又は凸部の中心位置とがほぼ一致していることを特徴とする光記録媒体用スタンパの製造装置。
【発明の詳細な説明】
【技術分野】
【０００１】
本発明は、光記録媒体用スタンパの製造方法、基板の製造方法、光記録媒体の製造方法及び光記録媒体用スタンパの製造装置に関し、特に、一主面の全部又は一部が粗面化された基板を有する光記録媒体を製造するための光記録媒体用スタンパの製造方法、基板の製造方法、光記録媒体の製造方法及び光記録媒体用スタンパの製造装置に関する。
【背景技術】
【０００２】
ＣＤ−ＲやＤＶＤ−Ｒ等の光記録媒体の１種として、電子情報が記録される記録面と反対側の面に、記録面に記録した電子情報の内容、例えば、音楽データの楽曲タイトルや、記録したデータを識別するためのタイトル等の可視情報を印刷したラベルを貼付したものが知られている。このため、該反対側の面は、レーベル面と呼称される。
【０００３】
この種の光記録媒体は、プリンタ等によって円形のラベルシート上にタイトル等を予め印刷し、当該ラベルシートをレーベル面に貼付することにより作製される。
【０００４】
しかしながら、ラベルシートをレーベル面に貼付する場合、ディスクドライブとは別に、ラベルシートを印刷するためのプリンタが必要となる。すなわち、ディスクドライブを用いて光記録媒体の記録面に記録を行った後、該光記録媒体をディスクドライブから取り出し、さらに、プリンタによって印刷されたラベルシートを貼付する等といった煩雑な作業を行う必要がある。
【０００５】
そこで、レーベル面にレーザマーカを使用して表面と背景のコントラストを変化させて表示をさせることができる光記録媒体が提案されている（例えば、特許文献１参照）。この光記録媒体を用いることで、光記録媒体ドライブのみで記録面への記録と、レーベル面への所望の可視情報記録とを行うことができる。従って、プリンタ等を別途用意する必要がなくなり、ラベルシートを貼付するという煩雑な作業も不要となる。
【０００６】
【特許文献１】特開平１１−６６６１７号公報
【発明の開示】
【発明が解決しようとする課題】
【０００７】
ところで、例えばＤＶＤ−Ｒの記録層を形成する一方の基板の表面と同じように規則的にグルーブが形成されている他方の基板上に可視情報記録層を形成した場合、外からの光に対してグルーブが回折格子のような働きをすることで強い干渉が生じ、記録された可視情報の視認性が劣るという問題がある。
【０００８】
視認性を向上させるべく基板を粗面化することが想起されるが、この場合、レーベル面に入射した光が散乱し難いので、視認性に指向性が生じる。すなわち、ある方向からは視認性が良好であるものの、別の方向からは可視情報を視認することが容易ではないという不都合を招く。
【０００９】
従って、レーベル面に所望の可視情報記録を行う場合、記録された可視情報の視認性の更なる向上が希求されている。
【００１０】
本発明はこのような課題を考慮してなされたものであり、レーベル面の可視情報の視認性が良好な光記録媒体を得ることができる光記録媒体用スタンパの製造方法及び光記録媒体用スタンパ、基板の製造方法、基板及び光記録媒体用スタンパの製造装置を提供することを目的とする。
【００１１】
また、本発明の他の目的は、レーベル面の可視情報の視認性が良好な光記録媒体の製造方法及び光記録媒体を提供することにある。
【課題を解決するための手段】
【００１２】
第１の本発明に係る光記録媒体用スタンパの製造方法は、金属板の一主面の一部に、前記光記録媒体にプリピットを形成するためのピット形成部を形成するピット形成工程と、前記金属板のうち、前記ピット形成部を保護するためのマスクを設置するマスキング工程と、前記金属板の前記マスクが設置された面の全部又は一部をブラスト処理によって粗面化して原版スタンパを作製するブラスト処理工程とを有することを特徴とする。
【００１３】
第１の本発明にて製造された原版スタンパを用いて光記録媒体用スタンパを製造し、さらに、製造された光記録媒体用スタンパを用いて光記録媒体を製造することによって、レーベル面の可視情報の視認性が良好な光記録媒体を得ることができ、しかも、光記録媒体の生産性を向上させることができる。
【００１４】
そして、第１の本発明において、前記マスキング工程は、基台と、補助板と、前記基台上に対して前記補助板を位置決めするための第１位置決め手段と、前記補助板上に対して前記金属板を位置決めするための第２位置決め手段と、前記マスクを保持しながら前記基台上に位置決めされた前記補助板に対して少なくとも接近する方向に移動し、且つ、前記補助板上に位置決めされた前記金属板のうち、前記ピット形成部上に前記マスクを設置するアームとを有するマスク設置装置を使用して行うようにしてもよい。
【００１５】
この場合、前記第１位置決め手段は、前記補助板のうち、前記基台と対向する面に設けられた凹部又は凸部と、前記基台のうち、前記補助板の前記凹部に挿入される凸部又は凹部とを有し、前記補助板における前記凹部又は凸部の中心位置と、前記基台における前記凸部又は凹部の中心位置と、前記アームに保持された前記マスクの中心位置とが鉛直線上に揃うようにしてもよい。前記アームは真空吸着にて前記マスクを保持するようにしてもよい。
【００１６】
前記第２位置決め手段は、前記補助板のうち、前記金属板が設置される面に設けられたアライメントマークと、前記アライメントマークの第１画像と、前記補助板上に載置された前記金属板の前記ピット形成部の第２画像を撮像する撮像装置と、前記撮像装置からの前記第１画像に基づいて前記アライメントマークで設定される第１中心位置を演算し、前記第２画像に基づいて前記ピット形成部の第２中心位置を演算する演算手段と、前記第２中心位置が前記第１中心位置に一致するように前記補助板上の前記金属板の位置を補正する補正手段とを有するようにしてもよい。この場合、前記第１中心位置と、前記補助板の凹部又は凸部の中心位置とがほぼ一致しているが好ましい。なお、アライメントマークは円環状でもよいし、あるいは円形の軌跡上に３箇所以上に配列された例えば「＋」形のマークでもよい。
【００１７】
また、第１の本発明において、さらに、前記原版スタンパから前記マスクを取り外して、前記原版スタンパを洗浄する洗浄処理工程と、前記原版スタンパのうち、前記ピット形成部を含む面に金属層を電鋳によって形成して、該金属層による第２版スタンパを作製する複版作製工程とを有するようにしてもよい。なお、この第２版スタンパを用いて光記録媒体用スタンパを作製するようにしてもよい。もちろん、第２版スタンパから第３版スタンパを作製し、この第３版スタンを用いて光記録媒体用スタンパを作製するようにしてもよい。以下同様である。
【００１８】
次に、第２の本発明に係る基板の製造方法は、可視情報が記録される可視情報記録層を有する光記録媒体用の基板の製造方法において、一主面の全部又は一部が粗面化されたスタンパを作製するスタンパ作製工程と、作製された前記スタンパによって一主面の全部又は一部が粗面化された基板を作製する基板作製工程とを有し、前記スタンパ作製工程は、金属板の一主面の一部に、前記光記録媒体にプリピットを形成するためのピット形成部を形成するピット形成工程と、前記金属板のうち、前記ピット形成部を保護するためのマスクを設置するマスキング工程と、前記金属板の前記マスクが設置された面の全部又は一部をブラスト処理によって粗面化して原版スタンパを作製するブラスト処理工程とを有することを特徴とする。
【００１９】
第２の本発明にて製造された光記録媒体用の基板を用いて光記録媒体を製造することによって、レーベル面の可視情報の視認性が良好な光記録媒体を得ることができ、しかも、光記録媒体の生産性を向上させることができる。
【００２０】
次に、第３の本発明に係る光記録媒体の製造方法は、基板と、前記基板上に形成され、可視情報が記録される可視情報記録層とを有する光記録媒体の製造方法において、一主面の全部又は一部が粗面化されたスタンパを作製するスタンパ作製工程と、作製された前記スタンパによって一主面の全部又は一部が粗面化された基板を作製する基板作製工程と、作製された基板上に前記可視情報記録層を形成する可視情報記録層形成工程とを有し、前記スタンパ作製工程は、金属板の一主面の一部に、前記光記録媒体にプリピットを形成するためのピット形成部を形成するピット形成工程と、前記金属板のうち、前記ピット形成部を保護するためのマスクを設置するマスキング工程と、前記金属板の前記マスクが設置された面の全部又は一部をブラスト処理によって粗面化して原版スタンパを作製するブラスト処理工程とを有することを特徴とする。
【００２１】
これにより、レーベル面の可視情報の視認性が良好な光記録媒体を得ることができ、しかも、光記録媒体の生産性を向上させることができる。
【００２２】
次に、第４の本発明に係る光記録媒体用スタンパの製造装置は、光記録媒体を構成する基板を粗面化する際に使用される光記録媒体用スタンパの製造装置であって、基台と、補助板と、前記基台上に対して前記補助板を位置決めするための第１位置決め手段と、前記補助板上に対して前記金属板を位置決めするための第２位置決め手段と、前記マスクを保持しながら前記基台上に位置決めされた前記補助板に対して少なくとも接近する方向に移動し、且つ、前記補助板上に位置決めされた前記金属板のうち、前記ピット形成部上に前記マスクを設置するアームとを有することを特徴とする。
【００２３】
レーベル面の可視情報の視認性が良好な光記録媒体を得るために、スタンパの基となる金属板の一主面をブラスト処理して粗面化することが好適である。しかし、金属板には、光記録媒体にプリピットを形成するためのピット形成部が形成されているため、単純にブラスト処理した場合、ピット形成部が研磨材にて一部又は全部が消失するおそれがある。
【００２４】
そこで、第４の本発明に係る光記録媒体用スタンパの製造装置を使用することによって、金属板に形成されたピット形成部に高精度にマスクを設置することができ、ピット形成部を保護することができるため、ブラスト処理によってピット形成部が消失するという問題を解決することができる。
【００２５】
そして、第４の本発明において、前記第１位置決め手段は、前記補助板のうち、前記基台と対向する面に設けられた凹部又は凸部と、前記基台のうち、前記補助板の前記凹部に挿入される凸部又は凹部とを有し、前記補助板における前記凹部又は凸部の中心位置と、前記基台における前記凸部又は凹部の中心位置と、前記アームに保持された前記マスクの中心位置とが鉛直線上に揃うようにしてもよい。
【００２６】
また、第４の本発明において、前記アームは真空吸着にて前記マスクを保持するようにしてもよい。
【００２７】
また、第４の本発明において、前記第２位置決め手段は、前記補助板のうち、前記金属板が設置される面に設けられたアライメントマークと、前記アライメントマークの第１画像と、前記補助板上に載置された前記金属板の前記ピット形成部の第２画像を撮像する撮像装置と、前記撮像装置からの前記第１画像に基づいて前記アライメントマークで設定される第１中心位置を演算し、前記第２画像に基づいて前記ピット形成部の第２中心位置を演算する演算手段と、前記ピット形成部の中心位置が前記アライメントマークの中心位置に一致するように前記補助板上の前記金属板の位置を補正する補正手段とを有するようにしてもよい。この場合、前記第２中心位置と、前記補助板の凹部又は凸部の中心位置とがほぼ一致していることが好ましい。なお、アライメントマークは円環状でもよいし、あるいは円形の軌跡上に３箇所以上に配列された例えば「＋」形のマークでもよい。
【発明の効果】
【００２８】
以上説明したように、本発明に係る光記録媒体用スタンパの製造方法、基板の製造方法、光記録媒体用スタンパの製造装置によれば、レーベル面の可視情報の視認性が良好な光記録媒体を得ることができ、しかも、光記録媒体の生産性を向上させることができる。
【００２９】
また、本発明に係る光記録媒体の製造方法によれば、レーベル面の可視情報の視認性に優れた光記録媒体を得ることができる。
【発明を実施するための最良の形態】
【００３０】
以下、本発明に係る光記録媒体用スタンパの製造方法、基板の製造方法、光記録媒体の製造方法及び光記録媒体用スタンパの製造装置の実施の形態例を図１〜図１７を参照しながら説明する。
【００３１】
本実施の形態に係る光記録媒体１０は、一端面側からレーザ光を照射することで情報の記録が可能であり、他端面側からレーザ光を照射することで所望の可視情報記録を行うことが可能である。すなわち、この光記録媒体は、第１基板上に、少なくとも、データ記録層と可視情報記録層とをこの順に有し、可視情報記録層上に第２基板を有する。なお、データ記録層と可視情報記録層との間に第３基板が存在していてもよい。
【００３２】
そして、この光記録媒体では、第２基板における可視情報記録層側に臨む端面の一部が粗面化されている。以下の説明では、第２基板の端面のうち、粗面化された部分を「基板粗面化面」ともいう。この基板粗面化面は、後述するように、光記録媒体用スタンパに設けられた粗面化された面が第２基板の端面に転写されることで形成される。
【００３３】
この種の光記録媒体としては、第１に、ＤＶＤ型の構成（ＤＶＤ−Ｒ、ＨＤ−ＤＶＤ等を含む）が挙げられる。すなわち、データ記録層が形成された第１基板と可視情報記録層が形成された第２基板とが接着層を介して貼り合わされた、いわゆる貼りあわせ型の構成である。
【００３４】
さらに、本実施の形態に係る光記録媒体は、ブルーレイディスク（ＢＤ）の構成とすることもできる。
【００３５】
本実施の形態に係る光記録媒体１０の具体的構成例を図１〜図３を参照しながら説明する。
【００３６】
本実施の形態に係る光記録媒体１０は、図１に示すように、第１積層体１２と第２積層体１４とを有する。第１積層体１２は、透明性の第１基板１６と、該第１基板１６上に形成されたデータ記録層１８と、該データ記録層１８上に形成された第１反射層２０とを有する。第２積層体１４は、透明性の第２基板２２と、該第２基板２２上に形成された可視情報記録層２４と、該可視情報記録層２４上に形成された第２反射層２６とを有する。そして、第１積層体１２及び第２積層体１４が、第１反射層２０と第２反射層２６とが対向するように、接着層２８を介して貼り合わされている。
【００３７】
データ記録層１８は、例えば第１基板１６側から照射されたレーザ光によってデータ（ピット情報）の記録及び／又は再生が可能となっている。
【００３８】
可視情報記録層２４は、例えば第２基板２２側から照射されたレーザ光によって可視情報が記録できるようになっている。
【００３９】
特に、この光記録媒体１０は、第２基板２２の可視情報記録層２４側に臨む端面の一部が基板粗面化面３０とされている。第２基板２２の基板粗面化面３０の表面粗さは、中心線平均粗さ（Rａ）が０．０５〜０．３μｍであり、１０点平均高さ（Ｒｚ）が０．１〜５μｍであることが好ましい。この範囲にあることで、視認性を特に向上させることができる。第２基板２２の基板粗面化面３０の「Ｒａ」、「Ｒｚ」は、いずれも原子間力顕微鏡（ＡＦＭ）、光干渉式粗さ計、触針式粗さ計等により測定することができる。特に、走査長が長く、かつ深さ方向のダイナミックレンジが大きいことから触針式粗さ計が好適であるので、本明細書においては、特に断りのない限り、触針式粗さ計で測定した場合の数値を示すものとする。
【００４０】
基板粗面化面３０は、第２基板２２の端面全面に設けてもよい。中心から２０〜６０ｍｍまでの領域に形成することが好ましい。中心から２４〜５８ｍｍまでの領域に形成することがさらに好ましい。２０ｍｍ未満の領域に基板粗面化面３０を設けたとしても、２０ｍｍ未満の領域には光ピックアップが入り難いので、基板粗面化面３０を設けても視認性の向上にはさほど寄与しない。一方、５８ｍｍ超の領域に基板粗面化面３０を設けると、可視情報記録層２４のエッジ部を洗浄することが容易でなくなる傾向がある。
【００４１】
さらに、この光記録媒体１０は、第２基板２２の表面（可視情報記録層２４が形成される側の表面）の一部にプリピット領域３２が割り当てられ、該プリピット領域３２に１以上のプリピット３４、好ましくは複数のプリピット３４が形成されている。
【００４２】
プリピット３４の組み合わせにて示される情報としては、光記録媒体１０に関する各種情報が考えられ、例えば、当該光記録媒体１０が可視情報記録層２４を有する光記録媒体であるかどうかの識別情報や、可視情報記録層２４に可視情報を描画する際のレーザ光の出力に関する情報やスポット径に関する情報、描画すべき可視情報の階調に関する情報等である。
【００４３】
従って、プリピット３４を検出することによって、当該光記録媒体１０が可視情報記録層２４を有する光記録媒体１０であるかを容易に検出することができ、また、可視情報記録層２４に可視情報を描画する際に、最適なレーザ出力にて描画することができ、しかも、可視情報を高い描画特性をもって記録することができる。なお、プリピット３４の組み合わせにて示される情報としては、その他に製造者情報などが挙げられる。
【００４４】
第２基板２２の表面中、プリピット領域３２の割り当て位置としては、特に制限されない。例えば図２の変形例に係る光記録媒体１０ａに示すように、プリピット領域３２を、可視情報記録層２４が形成されている領域（描画領域３６）よりも内周側にあってもよい。プリピット領域３２が内周側にあることで、プリピット３４が色素化合物で埋まらないため、プリピット３４からの戻り光を検出しやすいという利点がある。ただ、プリピット領域３２に可視情報記録層２４を形成しないようにするためには、プリピット領域３２の最外周と描画領域３６の最内周との間に、ある程度のマージンが必要となる。
【００４５】
もちろん、描画領域３６をできるだけ広く確保するという観点から、図１に示すように、プリピット領域３２と描画領域３６とが一部重なっていてもよい。すなわち、プリピット３４上に可視情報記録層２４の少なくとも一部が形成されていてもよい。
【００４６】
図１や図２に示すように、プリピット領域３２を第２基板２２の内周側に設ける場合は、第２基板２２の中心より半径２１〜２４ｍｍの範囲に設けることが好ましい。
【００４７】
図３に示すように、プリピット３４の平均深さｈｐは１５０〜４００ｎｍとし、２００〜３００ｎｍであることが好ましい。１５０〜４００ｎｍとすることで、プリピット３４からの戻り光を電気信号に変換した後の信号（戻り光信号と記す）の信号振幅が大きくなり、戻り光信号の読み取り精度を高くすることができる。また、２００〜３００ｎｍとすることで、より確実に戻り光信号を検出することができる。
【００４８】
プリピット３４の半径方向の平均半値幅Ｗは２００〜５００ｎｍであることが好ましく、２５０〜４５０ｎｍであることがより好ましい。２００〜５００ｎｍとすることで、戻り光信号に重畳されるトラック間方向のクロストークが小さく、検出するに十分な信号振幅を得ることができる。なお、プリピット３４の周方向の長さ（半値幅）は、記録する情報によるため、適宜設定される。
【００４９】
また、プリピット３４の凸部３４Ａ上の可視情報記録層２４の平均厚みｈ1と、プリピット３４の凹部３４Ｂ上の可視情報記録層２４の平均厚みｈ２との比（ｈ1／ｈ２）は、０．１〜０．９であり、プリピット３４の凹部３４Ｂ上の可視情報記録層２４の窪みの深さ（ｈｐ＋ｈ１−ｈ２）が７０〜２５０ｎｍであることが好ましい。
【００５０】
「ｈ１／ｈ２」及び「ｈｐ＋ｈ１−ｈ２」が上記範囲にあることで、可視情報記録層２４の第２反射層２６が形成される面が、レーザ光を読み取るのに適度な凹凸を有することになり、良好な再生信号を得ることができる。「ｈ１／ｈ２」のより好ましい範囲は、０．２〜０．８である。「ｈｐ＋ｈ１−ｈ２」のより好ましい範囲は１００〜２００ｎｍであり、さらに好ましくは１２０〜１８０ｎｍである。
【００５１】
また、図３に示すように、可視情報記録層２４に沿って第２反射層２６が形成されていることが好ましく、プリピット３４の凸部３４Ａ上の第２反射層２６の平均厚みｔ１と、プリピット３４の凹部３４Ｂ上の第２反射層２６の平均厚みｔ２との比（ｔ１／ｔ２）は、０．８〜１．２であることが好ましく、０．９〜１．１であることがより好ましい。
【００５２】
上記ｈｐ、ｈ１及びｈ２等は、ＡＦＭや透過スペクトル又はエリプソメータから求めることができる。また、他の方法として、完成した光記録媒体１０の断面をＳＥＭなどにより観察することで求めることができる。
【００５３】
なお、プリピット領域３２の代わりにプリグルーブが形成されたプリグルーブ領域としてもよい。あるいは、プリピット領域３２の代わりに凹凸によるバーコードパターンを記録したバーストカッティングエリア（ＢＣＡ）としてもよい。この場合、該プリグルーブあるいはバーコードパターンによって、当該光記録媒体１０が可視情報記録層２４を有する光記録媒体であるかどうかの識別情報や、可視情報記録層２４に可視情報を描画する際のレーザ光の出力（例えばレーザパワー）に関する情報やスポット径に関する情報、描画すべき可視情報の階調に関する情報等をもたせることができる。
【００５４】
［スタンパ及びその製造方法］
上記のようなプリピット３４を有し、且つ、端面の一部に基板粗面化面３０を有する第２基板２２は、本実施の形態に係るマスタスタンパ４０を使用して製造することができる。
【００５５】
マスタスタンパ４０は、図４に示すように、その一主面の一部に、第２基板２２の端面の内周部分にプリピット３４を形成するためのピット形成部４２と、第２基板２２の端面の一部に基板粗面化面３０を形成するための粗面化された面（以下、スタンパ粗面化面４４と記す）とが設けられている。ピット形成部４２における凹部及び凸部のうちの凸部の平均高さは１５０〜４００ｎｍであることが好ましい。マスタスタンパ４０を使用することで、光記録媒体１０を効率よく製造することができる。
【００５６】
次に、マスタスタンパ４０の製造方法図５〜図１７を参照しながら説明する。
【００５７】
先ず、図５のステップＳ１及び図６Ａ、図６Ｂに示すように、金属原盤４６を用意する。この金属原盤４６は、平坦面とされた一主面４６ａ（端面）に、マスタスタンパ４０にピット形成部４２を形成するための第１ピット形成部４８が設けられている。この金属原盤４６は、Ｎｉ（ニッケル）電鋳によって作製されたＮｉ製の円盤形状体である。なお、図６Ｂ（拡大図）では中心線ｍ近傍のみを示しており、以下においても同様である。
【００５８】
ここで、金属原盤４６の厚みｔａは、マスタスタンパ４０を製造する際の一般的な厚み、すなわち、約３００μｍに設定するようにしてもよいが、１４０〜１６０μｍに設定してもよい。この場合、金属原盤４６を作製するためのＮｉ電鋳に要する時間が短縮されるという利点を有する。生産性を高くすることができる。金属原盤４６は、上述したＮｉのほか、Ｃｕ（銅）、Ａｌ（アルミニウム）、Ｎｉ合金、Ｃｕ合金、Ａｌ合金等を用いることができる。
【００５９】
その後、図５のステップＳ２及び図７Ａ、図７Ｂに示すように、金属原盤４６の一主面４６ａに、例えばステンレスにて構成され、中央部に孔７８が形成された導電リング８０を載置する。
【００６０】
その後、図５のステップＳ３において電鋳処理工程に入る。この電鋳処理工程は、図７Ａに示すように、中央部に孔を有し、且つ、金属原盤４６に対して導電リング８０を押さえ付けるための押さえ治具８２を用いて行われる。この電鋳処理によって、図７Ｂに示すように、Ｎｉ電鋳による第１金属層６６は、金属原盤４６の一主面４６ａうち、導電リング８０の孔７８から露出する面と導電リング８０の内周面の一部にわたって形成されることとなる。
【００６１】
その後、図５のステップＳ４においてマスキング処理工程に入る。このマスキング処理工程は、図８に示すように、金属原盤４６を取り外す。このとき、第１金属層６６は、１つの金属板８４として構成され、この金属板８４には、金属原盤４６の第１ピット形成部４８が転写されて、第２ピット形成部７０が形成されている。そのため、ブラスト処理でこの第２ピット形成部７０が破壊されないように、ブラスト処理の前処理としてマスキング処理を行うことにより、第２ピット形成部７０を保護する。マスキング処理としては、金属によるマスク７２を載置することや、粘着シートの貼り付けによりマスク７４を載置することや、酸化膜等によるマスク７６を形成すること等が挙げられる。本実施の形態では、粘着シートの貼り付けによるマスク７４を用いた。
【００６２】
ところで、金属板８４の第２ピット形成部７０上にマスク７４を貼着する場合、金属板８４の中心位置に基づいてマスク７４を位置決め貼着する方法が考えられる。しかし、金属板８４の中心位置と第２ピット形成部７０の中心位置は、金属原盤４６（図６Ａ参照）の第１ピット形成部４８の位置偏差、金属原盤４６を導電リング８０に取り付ける際の取り付け誤差等によってわずかに位置ずれしている可能性がある。
【００６３】
そこで、本実施の形態では、マスク７４を第２ピット形成部７０に高精度に位置決め貼着することができるマスク設置装置１００を用いて金属板８４上にマスク７４を貼着するようにした。以下、マスク設置装置１００について図９及び図１０を参照しながら説明する。
【００６４】
このマスク設置装置１００は、図９に示すように、基台１０２と、補助板１０４と、基台１０２上に対して補助板１０４を位置決めするための第１位置決め手段１０６と、補助板１０４上に対して金属板８４を位置決めするための第２位置決め手段１０８と、マスク７４を保持しながら基台１０２上に位置決めされた補助板１０４に対して少なくとも接近する方向に移動し、且つ、補助板１０４上に位置決めされた金属板８４のうち、第２ピット形成部７０上にマスク７４を設置（粘着シートを貼着）するアーム１１０とを有する。アーム１１０は例えば真空吸着にてマスク７４を保持するように構成されている。
【００６５】
第１位置決め手段１０６は、補助板１０４のうち、基台１０２と対向する面に設けられた凹部１１２と、基台１０２のうち、補助板１０４の凹部１１２に挿入される凸部１１４とを有する。そして、補助板１０４における凹部１１２の中心位置Ｐ１と、基台１０２における凸部の中心位置Ｐ２と、アーム１１０に保持されたマスク７４の中心位置Ｐ３とが鉛直線１１６上に揃うようにする。
【００６６】
上述した例では、補助板１０４に凹部１１２を設け、基台１０２に凸部１１４を設けた例を示したが、その他、図示しないが、補助板１０４に凸部を設け、基台１０２に凹部を設けるようにしてもよい。
【００６７】
第２位置決め手段１０８は、図１０に示すように、補助板１０４のうち、金属板８４が設置される面に設けられたアライメントマーク１１８と、アライメントマーク１１８を撮像し、次いで、補助板１０４上に載置された金属板８４の第２ピット形成部７０を撮像する撮像装置１２０と、該撮像装置１２０からの撮像データを画像処理して、アライメントマーク１１８の画像（第１画像１２２）と、第２ピット形成部７０の画像（第２画像１２４）をメモリ１２６に記録する画像処理回路１２８と、メモリ１２６に記録された第１画像１２２に基づいてアライメントマーク１１８で設定される第１中心位置Ｐ４を演算し、第２画像１２４に基づいて第２ピット形成部７０の第２中心位置Ｐ５を演算する補正演算回路１３０と、第２中心位置Ｐ５が第１中心位置Ｐ４に一致するように補助板１０４上の金属板８４の位置を補正する載置位置補正機構１３２とを有する。なお、図１０では、撮像装置１２０と画像処理回路１２８がそれぞれ２つ描かれているが、これは説明の便宜上のためであって、実際には、１つの撮像装置１２０と１つの画像処理回路１２８とを有する。なお、アライメントマーク１１８は、円環状でもよいし、あるいは円形の軌跡上に３箇所以上に配列された例えば「＋」形のマークでもよい。
【００６８】
そして、本実施の形態では、アライメントマーク１１８で設定される第１中心位置Ｐ４と凹部１１２の中心位置Ｐ１がほぼ一致していることから、第２位置決め手段１０８にて金属板８４の第２ピット形成部７０の第２中心位置Ｐ５が第１中心位置Ｐ４と一致するように、金属板８４が補助板１０４上に載置されることで、上述したように、第１位置決め手段１０６によって、補助板１０４における凹部１１２の中心位置Ｐ１と、基台１０２における凸部の中心位置Ｐ２と、アーム１１０に保持されたマスク７４の中心位置Ｐ３とが鉛直線１１６上に揃った段階で、マスク７４の中心位置Ｐ３と金属板８４の第２ピット形成部の中心位置が鉛直線１１６上に揃うことになる。従って、アーム１１０を補助板１０４に接近する方向に移動させて、マスク７４を金属板８４上に貼着することで、第２ピット形成部７０上にマスク７４を精度よく貼着することができる。アーム１１０を補助板１０４に接近又は離間させる動力としては、図示しないシリンダーに圧縮空気を送り込む、あるいは排気する方法が好ましい。このとき、アーム１１０と補助板１０４の距離を測定する図示しない検出手段を設置しておいて、その測定距離に従ってアーム１１０を接近させる速度と停止位置を制御するサーボ機構を組み込むことが好ましい。これによって、第２ピット形成部７０へのダメージを低減させることができる。
【００６９】
次に、図５のステップＳ５においてブラスト処理工程に入る。このブラスト処理工程は、図１１に示すように、金属板８４の一主面８４ａのうち、マスク７４から露出する面の一部をブラスト処理によって粗面化する。すなわち、ブラスト処理によって、図１２に示すように、金属板８４の一主面８４ａの一部に第１粗面化面１４０を形成する。この段階で、金属板８４による原版スタンパ１４２、すなわち、一主面１４２ａの一部が粗面化された原版スタンパ１４２が完成する。なお、ブラスト処理は、被対象面（粗面化したい面）に珪砂、エメリー、ガラスビーズ、樹脂ビーズ、ＳｉＣ粒子等のような非金属粒や金属粒等の研磨材を高速に吹き付けて、被対象面を粗面化する方法である。本実施の形態では、ガラスビーズを用いた。
【００７０】
その後、図５のステップＳ６において、図１３に示すように、原版スタンパ１４２からマスク７４を取り外して、原版スタンパ１４２を洗浄する。洗浄方法として、例えば純水中に浸漬しつつ超音波を照射する方法、エタノール洗浄等を使用することができる。
【００７１】
次いで、図５のステップＳ７において、一主面１４２ａの一部が粗面化された原版スタンパ１４２を用いて、Ｎｉ電鋳を行う。このＮｉ電鋳によって、図１４に示すように、原版スタンパ１４２の一主面１４２ａに第２金属層１４６が形成される。このＮｉ電鋳では、厚み約３００μｍの第２金属層１４６を形成する。
【００７２】
図５のステップＳ８において、第２金属層１４６を原版スタンパ１４２の一主面１４２ａから取り外すことによって、図１５Ａ及び図１５Ｂに示すように、第２金属層１４６による金属製の第２版スタンパ１４８が完成する。この第２版スタンパ１４８の一主面１４８ａには、原版スタンパ１４２の一主面１４２ａに形成されている第２ピット形成部７０（図１４参照）の転写パターン、すなわち、第３ピット形成部１５０が形成され、同じく原版スタンパ１４２の一主面１４２ａに形成された第１粗面化面１４０（図１２参照）の転写パターン、すなわち、第２粗面化面１５２が形成される。
【００７３】
図５のステップＳ７及びステップＳ８を繰り返すことによって、１つの原版スタンパ１４２から多数枚の第２版スタンパ１４８を作製することができる。
【００７４】
第２版スタンパ１４８をマスタスタンパ４０として、第２基板２２を作製するようにしてもよいし、第２版スタンパ１４８を用いてＮｉ電鋳を行って、図１６に示す第３版スタンパ１５４を作製して、該第３版スタンパ１５４をマスタスタンパ４０としてもよい。この場合、図１６に示すように、第３版スタンパ１５４の一主面１５４ａには、第２版スタンパ１４８の一主面１４８ａに形成されている第３ピット形成部１５０（図１６Ｂ参照）の転写パターン、すなわち、第４ピット形成部１５６が形成され、同じく第２版スタンパ１４８の一主面１４８ａに形成された第２粗面化面１５２の転写パターン、すなわち、第３粗面化面１５８が形成される。
【００７５】
また、第３版スタンパ１５４を用いてＮｉ電鋳を行って、図１７に示す第４版スタンパ１６０を作製して、該第４版スタンパ１６０をマスタスタンパ４０としてよい。この場合も、第４版スタンパ１６０の一主面１６０ａには、第３版スタンパ１５４の一主面１５４ａに形成されている第４ピット形成部１５６（図１６参照）の転写パターン、すなわち、第５ピット形成部１６２が形成され、同じく第３版スタンパ１５４の一主面１５４ａに形成された第３粗面化面１５８の転写パターン、すなわち、第４粗面化面１６４が形成される。
【００７６】
図４は、この第４版スタンパ１６０をマスタスタンパ４０とした例を示す。従って、図１７の第５ピット形成部１６２が図４のピット形成部４２に対応し、図１７の第４粗面化面１６４が図４のスタンパ粗面化面４４に対応する。
【００７７】
これら第３版スタンパ１５４及び第４版スタンパ１６０は、それぞれ第２版スタンパ１４８及び第３版スタンパ１５４を基にしてＮｉ電鋳によって多数作製することができるので、第２版スタンパ１４８自体を使用するよりも著しく多数のマスタスタンパ４０を用意することができ、コスト的に有利である。生産性を高くすることもできる。
【００７８】
このように、本実施の形態では、金属板８４の一主面８４ａの一部をブラスト処理によって粗面化して、第１粗面化面１４０を有する原版スタンパ１４２を作製するようにしたので、第１粗面化面１４０の転写パターンを有する第２版スタンパ１４８、第３版スタンパ１５４及び第４版スタンパ１６０のいずれをマスタスタンパ４０にしたとしても、該マスタスタンパ４０を用いて作製される第２基板２２の基板粗面化面３０は、入射光が容易に散乱するので、不特定方向からの可視情報の視認性が向上する。すなわち、レーベル面の可視情報の視認性が良好な光記録媒体１０を得ることができる。
【００７９】
ここで、マスタスタンパ４０のスタンパ粗面化面４４の表面粗さは、中心線平均粗さ（Ｒａ）が０．０５〜０．３μｍであり、１０点平均高さ（Ｒｚ）が０．１〜５μｍであることが好ましい。
【００８０】
上述した光記録媒体１０の構成としては、レーザ光の照射により可視情報の描画が可能な可視情報記録層２４と、１以上のプリピット３４を有するプリピット領域３２とを具備した構成であれば特に限定されない。すなわち、読出し専用型、追記型、書換え可能型等のいずれとすることもできる。なかでも、追記型であることが好ましい。また、記録形式としては、相変化型、光磁気型、色素型等、特に制限されない。なかでも、色素型であることが好ましい。
【００８１】
特に、図１に示す光記録媒体１０は、第１基板１６上にデータ記録層１８を有し、第２基板２２上に可視情報記録層２４を有し、これらが貼り合わされた構成であることから、例えばＤＶＤ（ＤＶＤの他、ＤＶＤ−ＲやＤＶＤ−ＲＷ、ＨＤ  ＤＶＤ等を含む）の構成に適用することが好ましい。
【００８２】
光記録媒体１０の層構成としては、図１に示す層構成のほか、例えば、以下の構成が挙げられる。
【００８３】
（１）第１の層構成は、図示しないが、第１基板１６上に、データ記録層１８、第１反射層２０、接着層２８を順次形成し、接着層２８上に、可視情報記録層２４を有する第２基板２２を貼り合わせる構成である。
【００８４】
（２）第２の層構成は、図示しないが、第１基板１６上に、データ記録層１８、第１反射層２０、保護層、接着層２８を順次形成し、接着層２８上に、可視情報記録層２４を有する第２基板２２を貼り合わせる構成である。
【００８５】
（３）第３の層構成は、図示しないが、第１基板１６上に、データ記録層１８、第１反射層２０、第１保護層、接着層２８、第２保護層を順次形成し、該第２保護層上に、可視情報記録層２４を有する第２基板２２を貼り合わせる構成である。
【００８６】
（４）第４の層構成は、図示しないが、第１基板１６上に、データ記録層１８、第１反射層２０、第１保護層、接着層２８、第２保護層、第３保護層を順次形成し、該第３保護層上に、可視情報記録層２４を有する第２基板２２を貼り合わせる構成である。
【００８７】
（５）第５の層構成は、第１基板１６上に、データ記録層１８、第１反射層２０、接着層２８、第２反射層２６を順次形成し、該第２反射層２６上に、可視情報記録層２４を有する第２基板２２を貼り合わせる構成である。この層構成は図１とほぼ同じになる。
【００８８】
（６）第６の層構成は、図示しないが、第１基板１６上に、データ記録層１８、第１反射層２０、第１保護層を順次形成し、一方、第２基板２２上に可視情報記録層２４、第２反射層２６、第２保護層を順次形成し、接着層２８を介して第１保護層及び第２保護層を貼り合わせる構成である。
【００８９】
なお、図１に示す層構成、並びに上記（１）〜（６）の層構成は単なる例示であり、これらの層構成は上述の順番のみでなく、一部を入れ替えてもよい。また、一部（可視情報記録層２４を除く）を省略してもかまわない。さらに、各層は１層で構成されても複数層で構成されてもよい。
【００９０】
光記録媒体１０に光学的な情報を記録する場合、又は、記録された情報を再生する場合は、第１基板１６側から所定の波長（ＤＶＤ−Ｒの場合は６５０〜６７０ｎｍ、ＨＤ−ＤＶＤの場合は４００〜４１０ｎｍ以下）のレーザ光を照射する。
【００９１】
また、可視情報記録層２４に可視情報を記録する場合は、第２基板２２側から所定のレーザ光（例えば、線速度３．５ｍ／ｓ、波長６６０ｎｍ、ＮＡ＝０．６、盤面１０ｍＷのレーザ光）を照射し、照射部分を変質させコントラストを変化させて、視認可能な可視情報を形成することができる。
【００９２】
このように、レーザ光により可視情報を形成することができるので、プリンタ等を別途用意することなく、光記録媒体ドライブによって光記録媒体１０のレーベル面（可視情報の記録面）に所望の可視情報記録を効率よく行うことができる。また、第２基板２２の可視情報記録層２４側の面が粗面化されているため、可視情報の視認性を向上させることができる。
【００９３】
なお、本実施の形態における「第２基板２２」は、データ記録層１８等を挟んで第１基板１６とは反対側に設けられる基板の他、カバー層や透明シートを含む場合もある。従って、本実施の形態に係る光記録媒体１０の他の構成として、基板上に、データ記録層と可視情報記録層とカバー層とがこの順に形成されたＣＤ型の構成（ＣＤ−Ｒ等を含む）とすることもできる。
【００９４】
ＣＤ型の構成の場合は、第１基板１６上に、データ記録層１８、第１反射層２０、保護層、第２反射層２６、可視情報記録層２４がこの順で形成され、可視情報記録層２４上に粗面化されたカバー層が形成された構成となる。かかる構成でも、カバー層の可視情報記録層２４側の面が粗面化されているため、可視情報の視認性を向上させることができる。
【００９５】
当該光記録媒体１０に光学的な情報を記録する場合、又は、記録された情報を再生する場合は、第１基板１６側から所定の波長（例えば、６６０ｎｍ程度）のレーザ光を照射する。
【００９６】
また、可視情報記録層２４に可視情報を記録する場合は、カバー層（第２基板２２）側から既述の所定量のレーザ光を照射し、照射部分を変質させコントラストを変化させて、視認可能な可視情報を形成することができる。
【００９７】
このように、ＣＤ型の光記録媒体であっても、レーザ光により可視情報を形成することができる。このため、プリンタ等を別途用意することなく、光記録媒体ドライブによって光記録媒体１０のレーベル面（可視情報の記録面）に所望の可視情報記録を効率よく行うことができる。また、第２基板２２の可視情報記録層２４側の面が粗面化されているため、可視情報の視認性を向上させることができる。
【００９８】
上記した光記録媒体１０中、図１に示すＤＶＤ型の光記録媒体は、以下に説明するようにして製造することができる。すなわち、一主面にスタンパ粗面化面４４が形成されたマスタスタンパ４０を作製するスタンパ作製工程と、作製されたマスタスタンパ４０によって一主面に基板粗面化面３０を有する第２基板２２を作製する基板作製工程と、作製された第２基板２２上に可視情報記録層２４を形成する可視情報記録層形成工程と、第１基板１６上にデータ記録層１８を形成するデータ記録層形成工程と、第１基板１６と第２基板２２とを、データ記録層１８及び可視情報記録層２４とが互いに対向するように接合する接合工程とを経て光記録媒体１０が製造される。
【００９９】
なお、必要に応じ、データ記録層形成工程及び可視情報記録層形成工程において、反射層や保護層を形成する処理を行うようにしてもよい。
【０１００】
一方、ＣＤ型の光記録媒体の場合は、第１基板１６上に、少なくとも、データ記録層１８と、可視情報記録層２４と、粗面化面を有するカバー層（第２基板２２）とを形成して製造することができる。
【０１０１】
図１に示す層構成、並びに上記（１）〜（６）の層構成は単なる例示であり、これらの層構成は上述の順番のみでなく、一部を入れ替えてもよい。また、一部（可視情報記録層２４を除く）を省略してもかまわない。さらに、各層は１層で構成されても複数層で構成されてもよい。
【０１０２】
以下、図１に記載の層構成を例に、光記録媒体１０の各層とその形成方法について説明する。
【０１０３】
（データ記録層１８）
データ記録層１８は、記録及び再生に使用されるレーザ光により情報の記録及び再生が行われる層である。特に、デジタル情報等の符号情報（コード化情報）が記録される。データ記録層１８としては、色素記録層でも相変化型記録層でもよいが、色素記録層が好ましい。
【０１０４】
データ記録層１８に含有される色素の具体例としては、シアニン色素、オキソノール色素、アゾ色素、フタロシアニン色素、トリアゾール化合物（ベンゾトリアゾール化合物を含む）、トリアジン化合物、メロシアニン化合物、アミノブタジエン化合物、桂皮酸化合物、ベンゾオキサゾール化合物、ピロメテン化合物、スクアリリウム化合物等が挙げられる。なお、これらは配位中心に金属原子を持っていてもよい。
【０１０５】
また、特開平４−７４６９０号公報、特開平８−１２７１７４号公報、特開平１１−５３７５８号公報、特開平１１−３３４２０４号公報、特開平１１−３３４２０５号公報、特開平１１−３３４２０６号公報、特開平１１−３３４２０７号公報、特開２０００−４３４２３号公報、特開２０００−１０８５１３号公報、及び特開２０００−１５８８１８号公報等に記載されている色素を用いることも可能である。
【０１０６】
上記化合物の中では、光記録媒体が「ＣＤ−Ｒ」の場合、シアニン色素、アゾ色素、フタロシアニン色素が好ましく、「ＤＶＤ−Ｒ」の場合、シアニン色素、オキソノール色素、アゾ色素（Ｎｉ、Ｃｏ錯体を含む）、ピロメテン化合物が好ましく、「ブルーレイディスク及びＨＤ−ＤＶＤ」の場合、シアニン色素、オキソノール色素、アゾ色素、フタロシアニン色素、ベンゾトリアゾール化合物、トリアジン化合物が好ましい。
【０１０７】
また、「ＣＤ−Ｒ」の場合、シアニン色素、アゾ色素、フタロシアニン色素がさらに好ましく、「ＤＶＤ−Ｒ」の場合、シアニン色素、オキソノール色素、アゾ色素（Ｎｉ、Ｃｏ錯体を含む）がさらに好ましく、「ブルーレイディスク及びＨＤ−ＤＶＤ」の場合、シアニン色素、オキソノール色素、アゾ色素、フタロシアニン色素がさらに好ましい。
【０１０８】
データ記録層１８は、色素等の記録物質を、結合剤等と共に適当な溶剤に溶解して塗布液を調製し、次いでこの塗布液を第１基板１６上に塗布して塗膜を形成した後、乾燥することにより形成される。塗布液中の記録物質の濃度は、一般に０．０１〜１５質量％の範囲であり、好ましくは０．１〜１０質量％の範囲、より好ましくは０．５〜５質量％の範囲、最も好ましくは０．５〜３質量％の範囲である。
【０１０９】
データ記録層１８の形成は、蒸着、スパッタリング、ＣＶＤ、又は溶剤塗布等の方法によって行うことができるが、溶剤塗布が好ましい。この場合、前記色素等の他、さらに所望によりクエンチャー、結合剤等を溶剤に溶解して塗布液を調製し、次いでこの塗布液を基板表面に塗布して塗膜を形成した後、乾燥することにより行うことができる。
【０１１０】
塗布液の溶剤としては、酢酸ブチル、乳酸エチル、２−メトキシエチルアセテート等のエステル；メチルエチルケトン、シクロヘキサノン、メチルイソブチルケトン等のケトン；ジクロルメタン、１，２−ジクロルエタン、クロロホルム等の塩素化炭化水素；ジメチルホルムアミド等のアミド；メチルシクロヘキサン等の炭化水素；ジブチルエーテル、ジエチルエーテル、テトラヒドロフラン、ジオキサン等のエーテル；エタノール、ｎ−プロパノール、イソプロパノール、ｎ−ブタノール、ジアセトンアルコール等のアルコール；２，２，３，３−テトラフルオロプロパノール等のフッ素系溶剤；エチレングリコールモノメチルエーテル、エチレングリコールモノエチルエーテル、プロピレングリコールモノメチルエーテル等のグリコールエーテル類等を挙げることができる。
【０１１１】
上記溶剤は使用する色素の溶解性を考慮して単独で、あるいは２種以上を組み合わせて使用することができる。塗布液中にはさらに酸化防止剤、ＵＶ吸収剤、可塑剤、潤滑剤等各種の添加剤を目的に応じて添加してもよい。
【０１１２】
結合剤を使用する場合、該結合剤の例としては、ゼラチン、セルロース誘導体、デキストラン、ロジン、ゴム等の天然有機高分子物質；及びポリエチレン、ポリプロピレン、ポリスチレン、ポリイソブチレン等の炭化水素系樹脂；ポリ塩化ビニル、ポリ塩化ビニリデン、ポリ塩化ビニル・ポリ酢酸ビニル共重合体等のビニル系樹脂；ポリアクリル酸メチル、ポリメタクリル酸メチル等のアクリル樹脂；ポリビニルアルコール、塩素化ポリエチレン、エポキシ樹脂、ブチラール樹脂、ゴム誘導体、フェノール・ホルムアルデヒド樹脂等の熱硬化性樹脂の初期縮合物等の合成有機高分子を挙げることができる。
【０１１３】
データ記録層１８の材料として結合剤を併用する場合、結合剤の使用量は、一般に色素の質量の０．０１倍量〜５０倍量の範囲にあり、好ましくは０．１倍量〜５倍量の範囲にある。
【０１１４】
前記溶剤の塗布方法としては、スプレー法、スピンコート法、ディップ法、ロールコート法、ブレードコート法、ドクターロール法、スクリーン印刷法等を挙げることができる。データ記録層は単層でも重層でもよい。データ記録層の層厚は一般に１０〜５００ｎｍの範囲にあり、好ましくは１５〜３００ｎｍの範囲にあり、より好ましくは２０〜１５０ｎｍの範囲にある。
【０１１５】
データ記録層１８には、該データ記録層１８の耐光性を向上させるために、種々の褪色防止剤を含有させることができる。褪色防止剤としては、一般的に、一重項酸素クエンチャーが用いられる。一重項酸素クエンチャーとしては、既に公知の特許明細書等の刊行物に記載のものを利用することができる。その具体例としては、特開昭５８−１７５６９３号公報、特開昭５９−３１１９４号公報、特開昭６０−１８３８７号公報、特開昭６０−１９５８６号公報、特開昭６０−１９５８７号公報、特開昭６０−３５０５４号公報、特開昭６０−３６１９０号公報、特開昭６０−３６１９１号公報、特開昭６０−４４５５４号公報、特開昭６０−４４５５５号公報、特開昭６０−４４３８９号公報、特開昭６０−４４３９０号公報、特開昭６０−５４８９２号公報、特開昭６０−４７０６９号公報、同６３−２０９９９５号公報、特開平４−２５４９２号公報、特公平１−３８６８０号公報、及び特公平６−２６０２８号公報、独国特許第３５０３９９号明細書、そして日本化学会誌１９９２年１０月号第１１４１頁等に記載のものを挙げることができる。
【０１１６】
前記一重項酸素クエンチャー等の褪色防止剤の使用量は、通常、色素の質量の０．１〜５０質量％の範囲であり、好ましくは、０．５〜４５質量％の範囲、更に好ましくは、３〜４０質量％の範囲、特に好ましくは５〜２５質量％の範囲である。
【０１１７】
また、データ記録層１８が相変化型の場合は、結晶状態と非晶状態の少なくとも２つの状態をとり得る少なくともＡｇ、Ａｌ、Ｉｎ、Ｔｅ、Ｓｂからなる相変化型の光記録材料からなることが好ましい。この種の光記録材料の具体例としては、Ｓｂ−Ｔｅ合金、Ｇｅ−Ｓｂ−Ｔｅ合金、Ｐｄ−Ｇｅ−Ｓｂ−Ｔｅ合金、Ｎｂ−Ｇｅ−Ｓｂ−Ｔｅ合金、Ｐｄ−Ｎｂ−Ｇｅ−Ｓｂ−Ｔｅ合金、Ｐｔ−Ｇｅ−Ｓｂ−Ｔｅ合金、Ｃｏ−Ｇｅ−Ｓｂ−Ｔｅ合金、Ｉｎ−Ｓｂ−Ｔｅ合金、Ａｇ−Ｉｎ−Ｓｂ−Ｔｅ合金、Ａｇ−Ｖ−Ｉｎ−Ｓｂ−Ｔｅ合金、Ａｇ−Ｇｅ−Ｉｎ−Ｓｂ−Ｔｅ合金、等が挙げられる。中でも、多数回の書き換えが可能であることから、Ｇｅ−Ｓｂ−Ｔｅ合金、Ａｇ−Ｉｎ−Ｓｂ−Ｔｅ合金が好ましい。相変化型のデータ記録層１８の層厚としては、１０〜５０ｎｍとすることが好ましく、１５〜３０ｎｍとすることがより好ましい。
【０１１８】
以上の相変化型のデータ記録層１８は、スパッタ法、真空蒸着法等の気相薄膜堆積法等によって形成することができる。なお、必要に応じ、データ記録層１８上に公知の誘電体層を形成するようにしてもよい。
【０１１９】
（可視情報記録層２４）
光記録媒体１０は、上述したように、データ記録層１８に比して第２基板２２（カバー層を含む）側に近接する位置に可視情報記録層２４を有する。この可視情報記録層２４には、文字、図形、絵柄等、ユーザが所望する可視情報（画像、文字等）が記録される。ここで、可視情報とは、視覚的に認識可能な画像を意味し、文字（列）、絵柄、図形等のあらゆる視認可能な情報を含む。
【０１２０】
可視情報記録層２４に記録される可視情報としては、文字、図形、絵柄等、ユーザが所望する可視情報が含まれ、具体的には、ディスクのタイトル、内容情報、内容のサムネール、関連した絵柄、デザイン的な絵柄、著作権情報、記録日時、記録方法、記録フォーマット、バーコード等が挙げられる。
【０１２１】
また、文字情報としては、使用可能者指定情報、使用期間指定情報、使用可能回数指定情報、レンタル情報、分解能指定情報、レイヤー指定情報、ユーザ指定情報、著作権者情報、著作権番号情報、製造者情報、製造日情報、販売日情報、販売店または販売者情報、使用セット番号情報、地域指定情報、言語指定情報、用途指定情報、製品使用者情報、使用番号情報等が挙げられる。
【０１２２】
可視情報記録層２４は、レーザ光の照射により、文字、画像、絵柄等の画像情報を視認可能に記録できればよい。レーザ光の照射によって可視情報を明瞭に形成できることを考慮すると、可視情報記録層２４は、色素化合物を含有することが好ましい。そして、その構成材料としては、上述したデータ記録層１８において説明した色素を好適に用いることができる。この場合、コストなどを考慮して、可視情報記録層２４は色素化合物を含有する塗布液を用いてスピンコートにより形成されていることが好ましい。
【０１２３】
また、光記録媒体１０においては、既述のデータ記録層１８の構成成分（色素又は相変化記録材料）と可視情報記録層２４の構成成分とが同一であっても相違していてもよいが、データ記録層１８と可視情報記録層２４とでそれぞれ要求される特性が異なるため、構成成分も相違させる方が好ましい。具体的には、データ記録層１８の構成成分は記録・再生特性に優れるものとし、可視情報記録層２４の構成成分は記録情報のコントラストが高くなるものとすることが好ましい。特に、色素を用いる場合、可視情報記録層２４には、記録情報のコントラスト向上の観点から、上述した色素の中でも特に、シアニン色素、フタロシアニン色素、アゾ色素、アゾ金属錯体、オキソノール色素を用いることが好ましい。
【０１２４】
また、ロイコ系の染料も使用することができる。具体的には、クリスタルバイオレットラクトン；３，３−ビス（１−エチル２−メチルインドール−３−イル）フタリド、３−（４−ジエチルアミノ−２−エトキシフェニル）−３−（１−エチル２−メチルインドール−３−イル）−４−アザフタリド等のフタリド化合物；３−シクロヘキシルメチルアミノ−６−メチル−７−アニリノフルオラン、２−（２−クロロアニリノ）−６−ジブチルアミノフルオラン、３−ジエチルアミノ−６−メチル−７−アニリノフルオラン、３−ジエチルアミノ−６−メチル−７−キシリジノフルオラン、２−（２−クロロアニリノ）−６−ジエチルアミノフルオラン、２−アニリノ−３−メチル−６（Ｎ−エチルイソペンチルアミノ）フルオラン、３−ジエチルアミノ−６−クロロ−７−アニリノフルオラン、３−ベンジルエチルアミノ−６−メチル−７−アニリノフルオラン、３−メチルプロピルアミノ−６−メチル−７−アニリノフルオランなどのフルオラン化合物；等が好ましい。
【０１２５】
可視情報記録層２４は、上述した色素を溶剤に溶解して塗布液を調製し、該塗布液を塗布することによって形成することができる。溶剤としては既述のデータ記録層１８の塗布液の調製に使用する溶剤と同じ溶剤を使用することができる。その他の添加剤、塗布方法などは、上述したデータ記録層１８の場合と同様である。
【０１２６】
可視情報記録層２４の層厚としては、０．０１〜５０μｍとすることが好ましく、０．０２〜２０μｍとすることがより好ましく、０．０３〜５μｍとすることがさらに好ましい。
【０１２７】
可視情報記録層２４は、所定パワーのレーザ光が略同一の軌跡に複数回照射されて可視情報が記録される層、あるいは、所定パワーのレーザ光が光記録媒体の半径方向に揺動し、かつ、略同一の軌跡に複数回照射されて可視情報が記録される層であることが好ましい。
【０１２８】
（第１基板１６）
第１基板１６は、従来の光記録媒体の基板として用いられている各種の材料から任意に選択することができる。
【０１２９】
基板材料としては、例えば、ガラス、ポリカーボネート、ポリメチルメタクリレート等のアクリル樹脂、ポリ塩化ビニル、塩化ビニル共重合体等の塩化ビニル系樹脂、エポキシ樹脂、アモルファスポリオレフィン及びポリエステル等を挙げることができ、所望によりそれらを併用してもよい。なお、これらの材料はフィルム状として又は剛性のある基板として使うことができる。上記材料の中では、耐湿性、寸法安定性及び価格等の点からポリカーボネートが好ましい。
【０１３０】
第１基板１６の厚さは、０．０５〜１．２ｍｍとすることが好ましく、０．１〜１．１ｍｍとすることがより好ましい。
【０１３１】
第１基板１６には、トラッキング用の案内溝又はアドレス信号等の情報を表わす凹凸（プリグルーブ）が形成されている。
【０１３２】
ＤＶＤ−Ｒ又はＤＶＤ−ＲＷの場合は、プリグルーブのトラックピッチは、３００〜９００ｎｍの範囲とすること好ましく、３５０〜８５０ｎｍとすることがより好ましく、４００〜８００ｎｍとすることがさらに好ましい。
【０１３３】
また、プリグルーブの深さ（溝深さ）は、１００〜１６０ｎｍの範囲とすることが好ましく、１２０〜１５０ｎｍとすることがより好ましく、１３０〜１４０ｎｍとすることがさらに好ましい。さらに、プリグルーブの溝幅（半値幅）は、２００〜４００ｎｍの範囲とすることが好ましく、２３０〜３８０ｎｍとすることがより好ましく、２５０〜３５０ｎｍとすることがさらに好ましい。
【０１３４】
一方、より高い記録密度を達成するために、従来のＤＶＤ−Ｒ等に比べて、より狭いトラックピッチのグルーブが形成された基板を用いてもよい。この場合、グルーブのトラックピッチは、２８０〜４５０μｍの範囲にとすることが好ましく、３００〜４２０ｎｍの範囲とすることがより好ましく、３２０〜４００ｎｍとすることがさらに好ましい。また、グルーブの深さ（溝深さ）は、１５〜１５０ｎｍの範囲とすることが好ましく、２５〜１００ｎｍの範囲とすることがより好ましい。また、グルーブの溝幅は、５０〜２５０ｎｍの範囲とすることが好ましく、１００〜２００ｎｍの範囲とすることがより好ましい。
【０１３５】
ＣＤ−Ｒ等の場合、グルーブのトラックピッチは、１．２〜２．０μｍの範囲とすること好ましく、１．４〜１．８μｍとすることがより好ましく、１．５５〜１．６５μｍとすることがさらに好ましい。グルーブの深さ（溝深さ）は、１００〜２５０ｎｍの範囲とすることが好ましく、１５０〜２３０ｎｍとすることがより好ましく、１７０〜２１０ｎｍとすることがさらに好ましい。プリグルーブの溝幅は、４００〜６５０ｎｍの範囲とすることが好ましく、４８０〜６００ｎｍとすることがより好ましく、５００〜５８０ｎｍとすることがさらに好ましい。
【０１３６】
データ記録層１８が設けられる側の第１基板１６の表面側（グルーブが形成された面側）には、平面性の改善、接着力の向上及び記録層の変質防止の目的で、下塗層が設けられてもよい。
【０１３７】
下塗層の材料としては例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；及びシランカップリング剤等の表面改質剤等を挙げることができる。下塗層は、上記物質を適当な溶剤に溶解又は分散して塗布液を調製した後、この塗布液をスピンコート、ディップコート、エクストルージョンコート等の塗布法により基板表面に塗布することにより形成することができる。下塗層の層厚は一般に０．００５〜２０μｍの範囲にあり、好ましくは０．０１〜１０μｍの範囲である。
【０１３８】
（第１反射層２０及び第２反射層２６）
情報の再生時における反射率の向上の目的で、データ記録層１８及び可視情報記録層２４に隣接して第１反射層２０及び第２反射層２６が設けられることが好ましい。第１反射層２０及び第２反射層２６の材料としての光反射性物質は、レーザ光に対する反射率が高い物質を用いることが好ましい。その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉ等の金属及び半金属あるいはステンレス鋼、半導体材料等を挙げることができる。これらの物質は単独で用いてもよいし、あるいは二種以上の組合せで、又は合金として用いてもよい。
【０１３９】
上記材料の中で好ましいものは、Ｃｒ、Ｎｉ、Ｐｔ、Ｃｕ、Ａｇ、Ａｕ、Ａｌ及びステンレス鋼である。特に好ましくは、Ａｕ金属、Ａｇ金属、Ａｌ金属あるいはこれらの合金であり、最も好ましくは、Ａｇ合金（Ａｇ−Ｎｄ−Ｃｕ及びＡｇ−Ｐｄ−Ｃｕ）である。
【０１４０】
第１反射層２０及び第２反射層２６は、例えば、上記光反射性物質を蒸着、スパッタリング又はイオンプレーティングすることにより、データ記録層１８上及び第２基板２２上に形成することができる。第１反射層２０及び第２反射層２６の層厚は、一般的には１０〜３００ｎｍの範囲とし、５０〜２００ｎｍの範囲とすることが好ましい。
【０１４１】
（接着層２８）
接着層２８は、ＤＶＤ等の貼り合わせ型の光記録媒体を作製する際に、積層体同士又は、第１基板１６を含む第１積層体１２と第２基板２２を含む第２積層体１４とを接着して貼りあわせるために設けられる。接着層２８を構成する材料としては、光硬化性樹脂が好ましく、なかでもディスクの反りを防止するため、硬化収縮率の小さいものが好ましい。このような光硬化性樹脂としては、例えば、大日本インキ化学工業（株）製のＳＤ−６４０、ＳＤ−６６１、ソニーケミカル（株）製のＳＫ６１００、ＳＫ６３００、ＳＫ６４００を挙げることができる。また、接着層２８の厚さは、弾力性を持たせるため、１〜１００μｍの範囲が好ましく、５〜６０μｍの範囲がより好ましく、２０〜５５μｍの範囲が特に好ましい。
【０１４２】
（保護層：図示せず）
保護層は、水分の侵入やキズの発生を防止するために設けられる任意の層である。保護層を構成する材料としては、紫外線硬化樹脂、可視光硬化樹脂、熱硬化性樹脂、二酸化ケイ素等であることが好ましく、なかでも紫外線硬化樹脂であることが好ましい。該紫外線硬化樹脂としては、例えば、大日本インキ化学工業社製の「ＳＤ−６４０」等の紫外線硬化樹脂を挙げることができる。また、ＳＤ−３４７（大日本インキ化学工業社製）、ＳＤ−６９４（大日本インキ化学工業製）、ＳＫＣＤ１０５１（ＳＫＣ社製）等を使用することができる。保護層の厚さは、１〜２００μｍの範囲が好ましく、５０〜１５０μｍの範囲がより好ましい。
【０１４３】
（第２基板２２）
第２基板２２の粗面化処理については詳述したので、ここではその重複説明を省略する。
【０１４４】
基板粗面化面３０を有する第２基板２２は、貼り合わせ型の光記録媒体１０の場合に、第１基板１６に対向して設けられる。材質としては、前述の第１基板１６と同一材質のものを使用することができる。また、第１基板１６と同様、可視情報記録層２４が形成される面側には、何ら溝を設けなくてもよい。第２基板２２の厚さは、０．０５〜１．２ｍｍとすることが好ましく、０．１〜１．１ｍｍとすることがより好ましく、０．５〜０．７ｍｍとすることがさらに好ましい。
【０１４５】
第２基板２２がカバー層である場合の当該カバー層は、一般的には、データ記録層１８、可視情報記録層２４等を物理的及び化学的に保護する目的で設けられるが、本実施の形態では、以上の目的のほかに、可視情報記録層２４側のカバー層を粗面化することで、可視情報の視認性を向上させている。カバー層の層厚は、１０ｎｍ〜５μｍの範囲にあることが好ましい。
【０１４６】
また、カバー層として、ポリカーボネートや三酢酸セルロースからなる透明シートを用いてもよい。この場合の透明シートの厚みは、０．０１〜０．２ｍｍとすることが好ましい。透明シートの可視情報記録層２４側の粗面化処理としては、既述のスタンパによる粗面化処理を適用することが好ましい。
【０１４７】
以上のようにして粗面化された第２基板２２は、上述したように、一方の面上に少なくとも可視情報記録層２４及びデータ記録層１８がこの順で形成される光記録媒体１０の基板として使用される。
【０１４８】
なお、この第２基板２２は、光記録媒体１０以外に、可視情報記録層２４を有し、当該可視情報記録層２４に対して光により可視情報を形成可能な光学部材にも使用できる。すなわち、この光学部材は、基板における粗面化面上に少なくとも可視情報記録層２４が形成されて構成される。このような光学部材としては、例えば、シール等が例示される。
【０１４９】
また、本実施の形態に係る光記録媒体１０においては、第２基板２２上に隣接して形成される中間層の可視情報記録層２４側の面を粗面化して粗面化面としてもよい。中間層の可視情報記録層２４側の面を粗面化する場合には、必ずしも第２基板２２に基板粗面化面３０を設けなくてもよい。このような中間層としては保護層があり、例えば、ＵＶ硬化樹脂から構成される保護層が挙げられる。
【０１５０】
［記録方法］
本実施の形態に係る光記録媒体１０の可視情報記録層２４への可視情報記録は、具体的には、本実施の形態に係る光記録媒体１０と、少なくとも該光記録媒体１０の可視情報記録層２４への可視情報の記録が可能な記録装置とを用いて行う。
【０１５１】
例えば光記録媒体１０において、可視情報記録層２４への可視情報の記録、及びデータ記録層１８への光情報の記録は、両層への記録機能を有する１つの光記録媒体ドライブ（記録装置）で行うことができる。このように１つの光記録媒体ドライブを使用する場合、可視情報記録層２４及びデータ記録層１８のいずれか一方の層への記録を行った後、裏返して他方の層に記録を行うことができる。可視情報記録層２４への可視情報の記録をする機能を有する光記録媒体ドライブとしては、例えば、特開２００２−２０３３２１号公報、特開２００３−２０３３４８号公報、特開２００３−２４２７５０号公報等に記載されている。
【０１５２】
特に、本実施の形態では、プリピット３４を検出することによって、当該光記録媒体１０が可視情報記録層２４を有する光記録媒体１０であるかを容易に検出することができ、また、プリピット３４に含まれる情報に基づいて、可視情報記録層２４に可視情報を描画する際のレーザ出力を最適な出力に設定することができ、しかも、可視情報を高い描画特性をもって記録することができる。なお、プリピット３４の組み合わせにて示される情報としては、その他に製造者情報などが挙げられる。
【０１５３】
なお、本発明に係る光記録媒体用スタンパの製造方法、光記録媒体用スタンパ、基板の製造方法、基板、光記録媒体の製造方法、光記録媒体及び光記録媒体用スタンパの製造装置は、上述の実施の形態に限らず、本発明の要旨を逸脱することなく、種々の構成を採り得ることはもちろんである。
【図面の簡単な説明】
【０１５４】
【図１】本実施の形態に係る光記録媒体の一例を一部省略して示す断面図である。
【図２】変形例に係る光記録媒体を示す平面図である。
【図３】光記録媒体におけるプリピット領域の部分を拡大して示す断面図である。
【図４】本実施の形態に係るマスタスタンパの一例を一部省略して示す断面図である。
【図５】本本実施の形態に係る製造方法を示す製造工程図である。
【図６】図６Ａは本実施の形態に係る製造方法で用いられる金属原盤を示す断面図であり、図６Ｂはその一部を拡大して示す断面図である。
【図７】図７Ａは金属原盤上に導電リングを載置し、押さえ治具によって導電リングを金属原盤に押し付けた状態を示す断面図であり、図７Ｂは導電リングの内周面の一部と金属原盤の一主面の一部にかけて金属層をＮｉ電鋳によって形成した状態を示す断面図である。
【図８】金属板の第２ピット形成部上にマスクを設置した状態を示す断面図である。
【図９】本実施の形態に係るマスク設置装置を示す構成図である。
【図１０】本実施の形態に係るマスク設置装置の第２位置決め手段を示す構成図である。
【図１１】第２ピット形成部がマスクで保護された金属板に対してブラスト処理を行っている状態を示す断面図である。
【図１２】図１１の一部を拡大して示す断面図である。
【図１３】原版スタンパからマスクを取り外した後、原版スタンパを洗浄処理する状態を示す断面図である。
【図１４】原版スタンパの一主面に、Ｎｉ電鋳によって、第２金属層を形成した状態を示す断面図である。
【図１５】図１５Ａは第２金属層を原版スタンパの一主面から取り外して第２金属層による金属製の第２版スタンパを作製した状態を示す断面図であり、図１５Ｂはその一部を拡大して示す断面図である。
【図１６】第２版スタンパを用いてＮｉ電鋳を行って、第３版スタンパを作製した状態を示す断面図である。
【図１７】第３版スタンパを用いてＮｉ電鋳を行って、第４版スタンパを作製した状態を示す断面図である。
【符号の説明】
【０１５５】
１０、１０ａ…光記録媒体                  ２２…第２基板
２４…可視情報記録層                      ２６…第２反射層
３０…基板粗面化面                        ３２…プリピット領域
３４…プリピット                          ４０…マスタスタンパ
４２…ピット形成部                        ４４…スタンパ粗面化面
４６…金属原盤                            ４８…第１ピット形成部
６６…第１金属層                          ７０…第２ピット形成部
７２、７４、７６…マスク                  ８４…金属板
８４ａ…一主面                            １００…マスク設置装置
１０２…基台                              １０４…補助板
１０６…第１位置決め手段                  １０８…第２位置決め手段
１１０…アーム                            １１２…凹部
１１４…凸部                              １１６…鉛直線
１１８…アライメントマーク                １２０…撮像装置
１２２…第１画像                          １２４…第２画像
１２６…メモリ                            １２８…画像処理回路
１３０…補正演算回路                      １３２…載置位置補正機構
１４０…第１粗面化面                      １４２…原版スタンパ
１４８…第２版スタンパ                    １５０…第３ピット形成部
１５２…第２粗面化面                      １５４…第３版スタンパ
１５６…第４ピット形成部                  １５８…第３粗面化面
１６０…第４版スタンパ                    １６２…第５ピット形成部
１６４…第４粗面化面
【図１】
2008251072.tif 000003
【図２】
2008251072.tif 000004
【図３】
2008251072.tif 000005
【図４】
2008251072.tif 000006
【図５】
2008251072.tif 000007
【図６】
2008251072.tif 000008
【図７】
2008251072.tif 000009
【図８】
2008251072.tif 000010
【図９】
2008251072.tif 000011
【図１０】
2008251072.tif 000012
【図１１】
2008251072.tif 000013
【図１２】
2008251072.tif 000014
【図１３】
2008251072.tif 000015
【図１４】
2008251072.tif 000016
【図１５】
2008251072.tif 000017
【図１６】
2008251072.tif 000018
【図１７】
2008251072.tif 000019